(57)【要約】【課題】商品選択ボタンを１つだけクリアするための１取消押ボタンを備えることで、まとめ買いの商品選択の良否の見直しにおいて不要な商品だけを取消すことを可能とする。【解決手段】商品選択をする商品選択ボタン２と、決算するまでに押された前記商品選択ボタン２を連続的に一時記憶させる記憶手段１１と、商品選択が確定したことを入力する確定押ボタン３と、前記記憶手段１１に一時記憶させた前記商品選択ボタン２を途中でクリアする取消押ボタン４と、前記記憶手段１１に一時記憶させた前記商品選択ボタン２を１つだけクリアするための１取消押ボタン５を備えたものであり、まとめ買いの商品選択の良否の見直しにおいて不要な商品だけを取消すことが可能となり、販売動作が迅速となりサービス性を一層高めることができる。【選択図】図１
2011053872.tif 000002
【特許請求の範囲】
【請求項１】
商品選択をする商品選択ボタンと、決算するまでに押された前記商品選択ボタンを連続的に一時記憶させる記憶手段と、商品選択が確定したことを入力する確定押ボタンと、前記記憶手段に一時記憶させた前記商品選択ボタンを途中でクリアする取消押ボタンと、前記記憶手段に一時記憶させた前記商品選択ボタンを１つだけクリアするための１取消押ボタンを備え、前記商品選択ボタンにより選択され前記記憶手段に一時記憶された前記商品選択ボタンから前記１取消押ボタンを押した後に選択された前記商品選択ボタンをクリアして前記記憶手段に記憶し直し、決算後に前記記憶手段に記憶された商品を搬出することを特徴とする自動販売機。
【請求項２】
前記商品選択ボタンの内部にＬＥＤなどの照明手段と、前記商品選択ボタンの押された回数を記憶するための回数記憶手段を備え、前記商品選択ボタンが１回押されると前記記憶手段に選択された前記商品選択ボタンを記憶するとともに前記照明手段を点灯させ、前記商品選択ボタンが２回押されると選択された前記商品選択ボタンを前記記憶手段からクリアして前記記憶手段に記憶するとともに前記照明手段を消灯させることを特徴とする請求項１に記載の自動販売機。
【請求項３】
決算時に金銭不足と判断したときに前記記憶手段に一時記憶された前記商品選択ボタンから任意の前記商品選択ボタンをクリアするためのクリア条件を設定するためのクリア設定手段と、前記クリア設定手段によって任意に設定されたクリア条件を記憶するためのクリア記憶手段を備え、決算時に金銭不足となったときには前記クリア設定手段によって任意に設定されたクリア条件にもとづき前記記憶手段に一時記憶された前記商品選択ボタンの一部を自動的にクリアすることを特徴とする請求項１に記載の自動販売機。
【請求項４】
決算時の金銭不足のときに前記記憶手段に一時記憶された前記商品選択ボタンから任意の前記商品選択ボタンをクリアするためのクリア条件を選択するためのクリア選択ボタンを備え、決算時に金銭不足となったときには前記クリア選択ボタンから選択されたクリア条件にもとづき前記記憶手段に一時記憶された前記商品選択ボタンの一部を自動的にクリアすることを特徴とする請求項１に記載の自動販売機。
【請求項５】
決算時の金銭不足のときに前記クリア設定手段によって任意に設定されたクリア条件にもとづき前記記憶手段に一時記憶された前記商品選択ボタンの一部を自動的にクリアする機能を停止するための停止ボタンを備え、決算時に金銭不足となったときに前記クリア選択ボタンから選択されたクリア条件にもとづき前記記憶手段に一時記憶された前記商品選択ボタンの一部を自動的にクリアまたは前記１取消押ボタンにより前記記憶手段に一時記憶された前記商品選択ボタンの一部を手動にてクリアの切替を可能とすることを特徴とする請求項３に記載の自動販売機。
【発明の詳細な説明】
【技術分野】
【０００１】
本発明は、複数種類の商品を販売する自動販売機のまとめ買いに関するものである。
【背景技術】
【０００２】
従来のまとめ買いができる自動販売機としては、例えば、特許文献１のように、商品選択が確定したことを入力する確定押ボタンと、この確定押ボタンを押すまで投入金額で販売可能な範囲内で押した商品選択押ボタンを連続的に一時記憶させる記憶手段と、記憶手段に一時記憶させた商品選択ボタンを途中でクリアできる取消押ボタンと、確定押ボタンを押して記憶手段に記憶させた商品選択押ボタンに対応する商品をまとめて搬出させる搬出制御部から構成されており、顧客は商品選択押ボタンを押し終わったら商品選択の良否を見直し、良ければ確定押ボタンを押し、悪ければ取消押ボタンを押して商品選択をもう一度やり直すというものがある。
【先行技術文献】
【特許文献】
【０００３】
【特許文献１】特開平４−１１６７９０号公報
【発明の概要】
【発明が解決しようとする課題】
【０００４】
しかしながら上記従来の構成では、まとめ買いの商品選択の良否の見直しにおいて、悪ければ選択した商品の取消は可能であるが、不要な商品だけでなく全ての商品が取消されてしまうという課題を有していた。
【０００５】
本発明は、上記従来の課題を解決するもので、決算するまでに押された商品選択ボタンを連続的に一時記憶させる記憶手段と、記憶手段に一時記憶させた商品選択ボタンを１つだけクリアするための１取消押ボタンを備えることで、まとめ買いの商品選択の良否の見直しにおいて不要な商品だけを取消すことが可能となり、販売動作が迅速となりサービス性を一層高めることができる自動販売機を提供することを目的とする。
【課題を解決するための手段】
【０００６】
上記従来の課題を解決するために、本発明の自動販売機は、商品選択をする商品選択ボタンと、決算するまでに押された前記商品選択ボタンを連続的に一時記憶させる記憶手段と、商品選択が確定したことを入力する確定押ボタンと、前記記憶手段に一時記憶させた前記商品選択ボタンを途中でクリアする取消押ボタンと、前記記憶手段に一時記憶させた前記商品選択ボタンを１つだけクリアするための１取消押ボタンを備えたものである。
【０００７】
これにより、商品選択の良否の見直しにおいて不要な商品だけを取消すことが可能となり、販売動作が迅速となりサービス性を一層高めることができる。
【発明の効果】
【０００８】
本発明の自動販売機は、まとめ買いにおける商品選択の良否の見直しにおいて不要な商品だけを取消すことが可能となり、販売動作が迅速となりサービス性を一層高めることができる。さらに、決算時の金銭不足のときには取消し商品を予算、購入目的などに応じて自動的に選択することができ、よりサービス性を一層高めることができる。
【図面の簡単な説明】
【０００９】
【図１】本発明の実施の形態１における自動販売機の外観図
【図２】同実施の形態の自動販売機の制御装置の機能ブロック図
【図３】同実施の形態の自動販売機の制御装置の動作を示すフローチャート
【図４】本発明の実施の形態２における自動販売機の制御装置の機能ブロック図
【図５】同実施の形態の自動販売機の制御装置の動作を示すフローチャート
【図６】本発明の実施の形態３における自動販売機の制御装置の機能ブロック図
【図７】同実施の形態の自動販売機の制御装置の動作を示すフローチャート
【図８】本発明の実施の形態４における自動販売機の制御装置の機能ブロック図
【図９】同実施の形態の自動販売機の制御装置の販売時の動作を示すフローチャート
【図１０】本発明の実施の形態５における自動販売機の制御装置の機能ブロック図
【図１１】同実施の形態の自動販売機の制御装置の販売時の動作を示すフローチャート
【発明を実施するための形態】
【００１０】
請求項１に記載の発明は、商品選択をする商品選択ボタンと、決算するまでに押された前記商品選択ボタンを連続的に一時記憶させる記憶手段と、商品選択が確定したことを入力する確定押ボタンと、前記記憶手段に一時記憶させた前記商品選択ボタンを途中でクリアする取消押ボタンと、前記記憶手段に一時記憶させた前記商品選択ボタンを１つだけクリアするための１取消押ボタンを備え、前記商品選択ボタンにより選択され前記記憶手段に一時記憶された前記商品選択ボタンから前記１取消押ボタンを押した後に選択された前記商品選択ボタンをクリアして前記記憶手段に記憶し直し、決算後に前記記憶手段に記憶された商品を搬出するものであり、商品選択の良否の見直しにおいて不要な商品だけを取消すことが可能となり、販売動作が迅速となりサービス性を一層高めることができる。
【００１１】
請求項２に記載の発明は、請求項１に記載の発明において、前記商品選択ボタンの内部にＬＥＤなどの照明手段と、前記商品選択ボタンの押された回数を記憶するための回数記憶手段を備え、前記商品選択ボタンが１回押されると前記記憶手段に選択された前記商品選択ボタンを記憶するとともに前記照明手段を点灯させ、前記商品選択ボタンが２回押されると選択された前記商品選択ボタンを前記記憶手段からクリアして前記記憶手段に記憶するとともに前記照明手段を消灯させるものであり、商品選択の良否の見直しにおいて余分なキー操作をすることなしに不要な商品だけを取消すことが可能となり、販売動作が迅速となりサービス性を一層高めることができる。
【００１２】
請求項３に記載の発明は、請求項１に記載の発明において、決算時に金銭不足と判断したときに前記記憶手段に一時記憶された前記商品選択ボタンから任意の前記商品選択ボタンをクリアするためのクリア条件を設定するためのクリア設定手段と、前記クリア設定手段によって任意に設定されたクリア条件を記憶するためのクリア記憶手段を備え、決算時に金銭不足となったときには前記クリア設定手段によって任意に設定されたクリア条件にもとづき前記記憶手段に一時記憶された前記商品選択ボタンの一部を自動的にクリアするものであり、決算時に金銭不足となったときの商品選択の良否の見直しにおいて取消し操作をすることなしに予算などクリア記憶手段に記憶されたクリア条件に応じて自動で商品の取消しが可能となり、販売動作が迅速となりサービス性を一層高めることができる。
【００１３】
請求項４に記載の発明は、請求項１に記載の発明において、決算時の金銭不足のときに前記記憶手段に一時記憶された前記商品選択ボタンから任意の前記商品選択ボタンをクリアするためのクリア条件を選択するためのクリア選択ボタンを備え、決算時に金銭不足となったときには前記クリア選択ボタンから選択されたクリア条件にもとづき前記記憶手段に一時記憶された前記商品選択ボタンの一部を自動的にクリアするものであり、決算時に金銭不足となったときの商品選択の良否の見直しにおいて顧客が取消しする商品のクリア条件を選択することが可能となり、サービス性を一層高めることができる。
【００１４】
請求項５に記載の発明は、請求項３に記載の発明において、決算時の金銭不足のときに前記クリア設定手段によって任意に設定されたクリア条件にもとづき前記記憶手段に一時記憶された前記商品選択ボタンの一部を自動的にクリアする機能を停止するための停止ボタンを備え、決算時に金銭不足となったときに前記クリア選択ボタンから選択されたクリア条件にもとづき前記記憶手段に一時記憶された前記商品選択ボタンの一部を自動的にクリアまたは前記１取消押ボタンにより前記記憶手段に一時記憶された前記商品選択ボタンの一部を手動にてクリアの切替を可能とするものであり、決算時に金銭不足となったときの商品選択の良否の見直しにおいて取消し商品の選択を自動、手動の切替が可能となり、ロケーション応じた対応を行うことができる。
【００１５】
以下、本発明の実施の形態について、図面を参照しながら説明する。なお、この実施の形態によってこの発明が限定されるものではない。
【００１６】
（実施の形態１）
図１は、本実施の形態１における自動販売機の外観図である。図２は、同実施の形態１における自動販売機の制御装置の機能ブロック図である。図３は、同実施の形態の動作を示すフローチャートである。
【００１７】
図１において、自動販売機本体１の前面に商品を選択する商品選択ボタン２と、選択された商品を確定させるための確定押ボタン３と、商品選択ボタン２により選択された商品を途中でクリアする取消押ボタン４と、商品選択ボタン２により選択された商品のうち１つだけをクリアする１取消押ボタン５と、貨幣を投入する投入口６、商品を取出すための取出口７が設けられている。
【００１８】
図２は自動販売機の制御装置の機能ブロック図を示し、演算制御部１０ａは、商品選択ボタン２と確定押ボタン３と取消押ボタン４と１取消押ボタン５と選択された商品選択ボタン２を連続的に一時記憶させる記憶手段１１と投入口６からの貨幣投入もしくは電子マネーを搭載した非接触媒体がかざされたことを検知する検知部１２と接続されている。
【００１９】
以上のように構成された自動販売機について、以下その演算制御部１０ａの動作を図３のフローチャートを用いて説明する。
【００２０】
まず、待機状態において商品選択ボタン２により商品の選択がされたかを判定する（ＳＴＥＰ１）。商品が選択されていないときは、処理を終了する。商品が選択されたときは、選択された商品選択ボタン２を記憶手段１１に一時記憶する。連続して選択された商品選択ボタン２は次々に記憶手段１１に一時記憶する（ＳＴＥＰ２）。商品選択の良否を見直しにより確定押ボタン１が押されたときは商品選択を確定し決済待ちとなる（ＳＴＥＰ３）。商品選択の良否を見直しにより取消押ボタン４（ＳＴＥＰ４）もしくは１取消押ボタン５が押されたかを判定する（ＳＴＥＰ５）。取消押ボタン４が押されたときは、記憶手段１１に一時記憶した内容を消去し、処理を終了する（ＳＴＥＰ６）。１取消押ボタン５が押されたときは、１取消押ボタン５が押された後に商品選択ボタン２により選択された商品を記憶手段１１から消去し、記憶手段１１の内容を修正し一時記憶する（ＳＴＥＰ２）。また、ＳＴＥＰ３によりにより決済待ちとなった後、貨幣の投入もしくは非接触媒体により決算が行われたかを判定する（ＳＴＥＰ７）。決済が行われなかったときは決済待ち状態を継続する。決済が行われたときは、商品の搬出を指示し処理を終了する（ＳＴＥＰ８）。
【００２１】
以上のように本実施の形態の自動販売機においては、商品選択をする商品選択ボタンと、決算するまでに押された前記商品選択ボタンを連続的に一時記憶させる記憶手段と、商品選択が確定したことを入力する確定押ボタンと、前記記憶手段に一時記憶させた前記商
品選択ボタンを途中でクリアする取消押ボタンと、前記記憶手段に一時記憶させた前記商品選択ボタンを１つだけクリアするための１取消押ボタンを備えていることにより、商品選択の良否の見直しにおいて不要な商品だけを取消すことが可能となり、販売動作が迅速となりサービス性を一層高めることができる。
【００２２】
（実施の形態２）
図４は、本発明の実施の形態２における自動販売機の制御装置の機能ブロック図である。図５は、同実施の形態の動作を示すフローチャートである。尚、実施の形態１と同一構成については、同一符号を付して詳細な説明を省略する。
【００２３】
図４において、照明手段１３は、商品選択ボタン２の内部に収納され商品選択ボタン２が押された回数により点灯、消灯もしくは色変化により状態を表示するためのものである。
【００２４】
回数記憶手段１４は、演算制御部１０ｂに接続され商品選択ボタンの押された回数を記憶するためのものである。
【００２５】
以上のように構成された自動販売機について、以下その演算制御部１０ｂの動作を図５のフローチャートを用いて説明する。
【００２６】
まず、待機状態において商品選択ボタン２により商品の選択がされたかを判定する（ＳＴＥＰ１）。商品が選択されていないときは、処理を終了する。商品が選択されたときは、選択された商品選択ボタン２のＬＥＤを点灯（ＳＴＥＰ９）し、記憶手段１１に一時記憶する。連続して選択された商品選択ボタン２は次々に記憶手段１１に一時記憶する（ＳＴＥＰ２）。商品選択の良否を見直しにより確定押ボタン１が押されたときは商品選択を確定し決済待ちとなる（ＳＴＥＰ３）。商品選択の良否を見直しにより取消押ボタン４（ＳＴＥＰ４）もしくは商品選択ボタン２が押されたかを判定する（ＳＴＥＰ１０）。取消押ボタン４が押されたときは、記憶手段１１に一時記憶した内容を消去し、処理を終了する（ＳＴＥＰ６）。商品選択ボタン２が押されたときは、押された商品選択ボタン２のＬＥＤを消灯（ＳＴＥＰ１１）し、選択された商品を記憶手段１１から消去し、記憶手段１１の内容を修正し一時記憶する（ＳＴＥＰ２）。また、ＳＴＥＰ３によりにより決済待ちとなった後、貨幣の投入もしくは非接触媒体により決算が行われたかを判定する（ＳＴＥＰ７）。決済が行われなかったときは決済待ち状態を継続する。決済が行われたときは、商品の搬出を指示し処理を終了する（ＳＴＥＰ８）。
【００２７】
以上のように本実施の形態の自動販売機においては、前記商品選択ボタンの内部にＬＥＤなどの照明手段と、前記商品選択ボタンの押された回数を記憶するための回数記憶手段を備えていることにより、商品選択の良否の見直しにおいて余分なキー操作をすることなしに不要な商品だけを取消すことが可能となり、販売動作が迅速となりサービス性を一層高めることができる。
【００２８】
（実施の形態３）
図６は、本発明の実施の形態３における自動販売機の制御装置の機能ブロック図である。図７は、同実施の形態の動作を示すフローチャートである。尚、実施の形態１と同一構成については、同一符号を付して詳細な説明を省略する。
【００２９】
図６において、クリア設定手段１５は、演算制御部１０ｃに接続され決算時に金銭不足と判断したときに前記記憶手段に一時記憶された商品選択ボタン２から任意の商品選択ボタン２をクリアするためのクリア条件を設定するためのものである。
【００３０】
クリア記憶手段１６は、演算制御部１０ｃに接続されリア設定手段１５によって任意に設定されたクリア条件を記憶するためのものである。
【００３１】
以上のように構成された自動販売機について、以下その演算制御部１０ｃの動作を図７のフローチャートを用いて説明する。
【００３２】
まず、待機状態において商品選択ボタン２により商品の選択がされたかを判定する（ＳＴＥＰ１）。商品が選択されていないときは、処理を終了する。商品が選択されたときは、選択された商品選択ボタン２を記憶手段１１に一時記憶する。連続して選択された商品選択ボタン２は次々に記憶手段１１に一時記憶する（ＳＴＥＰ２）。商品選択の良否を見直しにより確定押ボタン１が押されたときは商品選択を確定し決済待ちとなる（ＳＴＥＰ３）。商品選択の良否を見直しにより取消押ボタン４（ＳＴＥＰ４）もしくは１取消押ボタン５が押されたかを判定する（ＳＴＥＰ５）。取消押ボタン４が押されたときは、記憶手段１１に一時記憶した内容を消去し、処理を終了する（ＳＴＥＰ６）。１取消押ボタン５が押されたときは、１取消押ボタン５が押された後に商品選択ボタン２により選択された商品を記憶手段１１から消去し、記憶手段１１の内容を修正し一時記憶する（ＳＴＥＰ２）。また、ＳＴＥＰ３によりにより決済待ちとなった後、貨幣の投入もしくは非接触媒体により決算が行われたかを判定する（ＳＴＥＰ７）。決済が行われなかったときは決済待ち状態を継続する。決済が行われたときに予算内かの判定をする（ＳＴＥＰ１２）。予算オーバーであったときは、クリア設定手段により設定され、クリア記憶手段により記憶されたつり銭最小などの条件に合致する商品をクリア（ＳＴＥＰ１３）しＳＴＥＰ７の決算を再度行う。予算内であったときは、商品の搬出を指示し処理を終了する（ＳＴＥＰ８）。
【００３３】
以上のように本実施の形態の自動販売機においては、決算時に金銭不足と判断したときに前記記憶手段に一時記憶された前記商品選択ボタンから任意の前記商品選択ボタンをクリアするためのクリア条件を設定するためのクリア設定手段と、前記クリア設定手段によって任意に設定されたクリア条件を記憶するためのクリア記憶手段を備えていることにより、決算時に金銭不足となったときの商品選択の良否の見直しにおいて取消し操作をすることなしに予算などクリア記憶手段に記憶されたクリア条件に応じて自動で商品の取消しが可能となり、販売動作が迅速となりサービス性を一層高めることができる。
【００３４】
（実施の形態４）
図８は、本発明の実施の形態４における自動販売機の制御装置の機能ブロック図である。図９は、同実施の形態の動作を示すフローチャートである。尚、実施の形態１と同一構成については、同一符号を付して詳細な説明を省略する。
【００３５】
図８において、クリア選択ボタン１７は、演算制御部１０ｄに接続され、決算時の金銭不足のときに前記記憶手段１１に一時記憶された前記商品選択ボタン２から任意の前記商品選択ボタン２をクリアするためのクリア条件を選択するためものである。
【００３６】
以上のように構成された自動販売機について、以下その演算制御部１０ｄの動作を図９のフローチャートを用いて説明する。
【００３７】
まず、待機状態において商品選択ボタン２により商品の選択がされたかを判定する（ＳＴＥＰ１）。商品が選択されていないときは、処理を終了する。商品が選択されたときは、選択された商品選択ボタン２を記憶手段１１に一時記憶する。連続して選択された商品選択ボタン２は次々に記憶手段１１に一時記憶する（ＳＴＥＰ２）。商品選択の良否を見直しにより確定押ボタン１が押されたときは商品選択を確定し決済待ちとなる（ＳＴＥＰ３）。商品選択の良否を見直しにより取消押ボタン４（ＳＴＥＰ４）もしくは１取消押ボ
タン５が押されたかを判定する（ＳＴＥＰ５）。取消押ボタン４が押されたときは、記憶手段１１に一時記憶した内容を消去し、処理を終了する（ＳＴＥＰ６）。１取消押ボタン５が押されたときは、１取消押ボタン５が押された後に商品選択ボタン２により選択された商品を記憶手段１１から消去し、記憶手段１１の内容を修正し一時記憶する（ＳＴＥＰ２）。また、ＳＴＥＰ３によりにより決済待ちとなった後、貨幣の投入もしくは非接触媒体により決算が行われたかを判定する（ＳＴＥＰ７）。決済が行われなかったときは決済待ち状態を継続する。決済が行われたときに予算内かの判定をする（ＳＴＥＰ１２）。予算オーバーであったときは、クリア選択ボタン１７のどの条件が選択されたかを判定する（ＳＴＥＰ１４）。つり銭が最小ボタンを選択したときにはつり銭が最小となるように、また、最後に選択した商品ボタンを選択したときには最後に選択した商品をクリア（ＳＴＥＰ１３）しＳＴＥＰ７の決算を再度行う。予算内であったときは、商品の搬出を指示し処理を終了する（ＳＴＥＰ８）。
【００３８】
以上のように本実施の形態の自動販売機においては、決算時の金銭不足のときに前記記憶手段に一時記憶された前記商品選択ボタンから任意の前記商品選択ボタンをクリアするためのクリア条件を選択するためのクリア選択ボタンを備えていることにより、決算時に金銭不足となったときの商品選択の良否の見直しにおいて顧客が取消しする商品のクリア条件を選択することが可能となり、サービス性を一層高めることができる。
【００３９】
（実施の形態５）
図１０は、本発明の実施の形態５における自動販売機の制御装置の機能ブロック図である。図１１は、同実施の形態の動作を示すフローチャートである。尚、実施の形態３と同一構成については、同一符号を付して詳細な説明を省略する。
【００４０】
図１０において、停止ボタン１８は、演算制御部１０ｅに接続され、決算時の金銭不足のときにクリア設定手段１５によって任意に設定されたクリア条件にもとづき記憶手段１１に一時記憶された商品選択ボタン２の一部を自動的にクリアする機能を停止するためのものである。
【００４１】
以上のように構成された自動販売機について、以下その演算制御部１０ｅの動作を図１１のフローチャートを用いて説明する。
【００４２】
まず、待機状態において商品選択ボタン２により商品の選択がされたかを判定する（ＳＴＥＰ１）。商品が選択されていないときは、処理を終了する。商品が選択されたときは、選択された商品選択ボタン２を記憶手段１１に一時記憶する。連続して選択された商品選択ボタン２は次々に記憶手段１１に一時記憶する（ＳＴＥＰ２）。商品選択の良否を見直しにより確定押ボタン１が押されたときは商品選択を確定し決済待ちとなる（ＳＴＥＰ３）。商品選択の良否を見直しにより取消押ボタン４（ＳＴＥＰ４）もしくは１取消押ボタン５が押されたかを判定する（ＳＴＥＰ５）。取消押ボタン４が押されたときは、記憶手段１１に一時記憶した内容を消去し、処理を終了する（ＳＴＥＰ６）。１取消押ボタン５が押されたときは、１取消押ボタン５が押された後に商品選択ボタン２により選択された商品を記憶手段１１から消去し、記憶手段１１の内容を修正し一時記憶する（ＳＴＥＰ２）。また、ＳＴＥＰ３によりにより決済待ちとなった後、貨幣の投入もしくは非接触媒体により決算が行われたかを判定する（ＳＴＥＰ７）。決済が行われなかったときは決済待ち状態を継続する。決済が行われたときに予算内かの判定をする（ＳＴＥＰ１２）。予算オーバーであったときは、停止ボタン１８が設定されているかの判定をする（ＳＴＥＰ１５）。停止ボタン１８が設定されているときは、クリア設定手段により設定され、クリア記憶手段により記憶されたつり銭最小などの条件に合致する商品をクリア（ＳＴＥＰ１３）しＳＴＥＰ７の決算を再度行う。停止ボタン１８が設定されていないときは、ＳＴＥＰ４にてクリア商品を選択する。予算内であったときは、商品の搬出を指示し処理を終了
する（ＳＴＥＰ８）。
【００４３】
以上のように本実施の形態の自動販売機においては、決算時の金銭不足のときに前記クリア設定手段によって任意に設定されたクリア条件にもとづき前記記憶手段に一時記憶された前記商品選択ボタンの一部を自動的にクリアする機能を停止するための停止ボタンを備えていることにより、決算時に金銭不足となったときの商品選択の良否の見直しにおいて取消し商品の選択を自動、手動の切替が可能となり、ロケーション応じた対応を行うことができる。
【産業上の利用可能性】
【００４４】
以上のように、本発明にかかる自動販売機は、まとめ買いにおける商品選択の良否の見直しにおいて不要な商品だけを取消すことが可能となり、販売動作が迅速となりサービス性を一層高めることができるので、あらゆる自動販売機器等の用途にも適用できる。
【符号の説明】
【００４５】
１  自動販売機本体
２  商品選択ボタン
３  確定押ボタン
４  取消押ボタン
５  １取消押ボタン
６  投入口
７  取出口
１０ａ、１０ｂ、１０ｃ、１０ｄ、１０ｅ  演算制御部
１１  記憶手段
１３  照明手段
１４  回数記憶手段
１５  クリア設定手段
１６  クリア記憶手段
１７  クリア選択ボタン
１８  停止ボタン
【図１】
2011053872.tif 000003
【図２】
2011053872.tif 000004
【図３】
2011053872.tif 000005
【図４】
2011053872.tif 000006
【図５】
2011053872.tif 000007
【図６】
2011053872.tif 000008
【図７】
2011053872.tif 000009
【図８】
2011053872.tif 000010
【図９】
2011053872.tif 000011
【図１０】
2011053872.tif 000012
【図１１】
2011053872.tif 000013